(57)【要約】【課題】空気の排出と遮断を調節する弁体の取り付け構造を改善して弁体の耐久性と密閉性能を向上させた空気排出口を提供する。【解決手段】空気の吸引通路を形成しており真空保管バックに取り付けられる胴体と、前記胴体の吸引脱気通路を開閉する弁体でなる真空保管バックの空気排出口であり、特に、前記胴体の底面には空気排出口が吸着により閉鎖されることを防ぐための複数の翼部を備え、前記吸引脱気通路の中心に前記翼部と一体に半球形突出部を備え、前記弁体には前記半球形突出部に対応する通孔を形成し、空気排出口の開閉が前記半球形突出部を中心にその周囲で行われるようにしたものである。【選択図】　図３
2004067245.tif 000002
【特許請求の範囲】
【請求項１】
空気通路を形成しており真空保管袋に取り付けられる胴体と、前記胴体の空気通路を開閉する弁体でなる真空保管袋の空気排出口であり、前記胴体は真空保管袋に取付けが容易であるよう固定板を形成した第１胴体と、前記弁体を固定するための固定端を備える第２胴体との結合でなり、前記第１胴体の底面には空気排出口が吸着により閉鎖されることを防ぐための複数の翼部を備え、前記空気通路の中心に前記翼部と一体に半球形突出部を備え、前記弁体には前記半球形突出部に対応する通孔を形成し、空気排出口の開閉が前記半球形突出部を中心にその周囲で行われることを特徴とする空気排出口。
【請求項２】
前記弁体は、前記第２胴体の固定端が挿入される固定溝を形成したことを特徴とする請求項１に記載の空気排出口。
【請求項３】
真空掃除機の吸入口と接触する前記弁体の上部は弾性材質でなり、前記真空掃除機の吸入口と密着できるようにしたことを特徴とする請求項１に記載の空気排出口。
【発明の詳細な説明】
【０００１】
【発明の属する技術分野】
本発明は真空保管袋の空気排出口に関し、より詳しくは空気の排出と遮断を調節する弁体の取り付け構造を改善し、弁体の耐久性と密閉性能を向上させた空気排出口に関する。
【０００２】
【従来の技術】
一般に寝具類、衣類等は保管時に大きい収納空間を占ながら、湿気によって黴が発生し、虫がつくなど保管上の問題点がある。
【０００３】
このような寝具類及び衣類等を安全且つ効率的に保管するためのものが真空保管袋である。真空保管袋は開閉可能な入口部を備え、所定位置に空気を排出するための空気排出口を備え、寝具類や衣類等を前記真空保管袋の入口部を開封して収納したあと入口を閉じ、前記空気排出口に真空掃除機を連結して真空掃除機の吸引力で真空保管袋内部の空気を外に排出させ、寝具類や衣類の嵩を減少させるものである。
【０００４】
図５及び図６は、それぞれ従来の真空保管袋の空気排出口を示す斜視図と断面図である。
【０００５】
図示されているように、胴体１０に固定板１２を備えて前記固定板１２が真空保管袋の所定位置に密着・固定できるようにし、前記胴体１０の中心には空気通路１５を備えており、このような空気通路１５の開閉のため弁体２０が前記胴体に形成された空気通路１５の一側に結合されている。このような弁体２０は、弾性的に変形して開閉する開閉片２２と、前記開閉片２２を固定するため前記開閉片の底面に引き出されて形成された固定軸２４と、前記開閉片２２の両端と連結して開閉片２２を支える外側板２６で構成されている。
【０００６】
このような従来の空気排出口の動作を検討すると、図２に点線で示されているように弁体に真空掃除機の吸入口３０を密着して動作させると、真空掃除機の吸引力により開閉片２２が外側板２６と連結された部分を中心に上方に曲げられて空気通路１５が開放され、真空保管袋内部の空気が真空掃除機を経て外部に排出される。空気を全て除去し真空掃除機の吸入口３０を空気排出口から分離すると、前記開閉片２２は自らの弾性力により原状復帰することになり、このようになると開閉片２２の下側の真空保管袋内部の気圧より、開閉片２２上方の気圧が一層高いので開閉片２２が空気通路１５を密着して閉鎖し、これ以上空気が疎通できなくなり内部は真空状態を維持することになる。
【０００７】
ところが、このような従来の空気排出口の場合開閉片が円板型に形成されており、その両端と中心だけが支持を受けるようになっているため、たとえ弾性材質で作成されているとしても真空掃除機からの吸引による開閉片の曲げだけでは、弁体の開口部の開き具合はわずかであり、これに伴い弾性力も微弱であるので真空掃除機の吸入口を除去した後も、空気通路を速やかに閉鎖できないという欠点があった。
【０００８】
また、従来の別の真空保管袋の空気排出口の例として、図７，８に示したものが挙げられる。この空気排出口は、布団、毛布、厚手の衣類などの収納物を圧縮収納して保存する袋体を備えた圧縮保存袋の弁構造であって、袋体の外に延びるように配設される偏平管状の吸引通路３３と、袋体３１の端部から袋体３１の中に延びるように配設され、吸引通路３３と連通する偏平管状の弁本体３２と、吸引通路３３の内周面に配設され、袋体３１と外気との通気を遮断するために吸引通路３３を封鎖する封鎖ファスナー３４とを含むものである。そしてこの空気排出口は、圧縮保存袋内が減圧され、ほぼ真空状態となる時、圧縮袋３１内部の気圧差により弁本体３２の外側が押圧され、弁本体３２の内側面どうしが密着される。そして、封鎖ファスナー３４で弁の吸引通路３３内を封鎖することにより、袋体内と外気との通気が遮断される。
【０００９】
しかしながら、ファスナー３４自体は吸引通路３３の端にあるので、保管時に他の保管物あるいは使用者との接触が多くなることを免れない。そのため、ファスナー３４が緩みやすくなる。その結果、そこから空気漏れが生じやすく、吸引通路３３の弁本体３２の密閉性が低下し、圧縮袋３１内に空気が入る。つまり、保管場所での出し入れが多い場合などはその密閉性を維持しにくいという欠点があった。
【００１０】
【特許文献１】
登録実用新案第３０２５２３５号公報（第７，９ページ、第５，７Ｂ図）
【００１１】
【発明が解決しようとする課題】
したがって、本発明の目的は開閉片が全体的に連結されているため耐久性に優れ、さらに、密閉力を向上させた真空保管袋の空気排出口を提供することにある。
【００１２】
【課題を解決するための手段】
本発明に係る空気排出口は、空気の吸引通路を形成しており真空保管袋に取り付けられる胴体と、前記胴体の空気通路を開閉する弁体でなる真空保管袋の空気排出口であり、前記胴体は真空保管袋ヘの取付けが容易であるよう固定板を形成した第１胴体と、前記弁体を固定するための固定端を備える第２胴体との結合でなり、前記第１胴体の底面には空気排出口が吸着により閉鎖されることを防ぐための複数の翼部を備え、前記空気通路の中心に前記翼部と一体に半球形突出部を備え、前記弁体には前記半球形突出部に対応する通孔を形成し、空気排出口の開閉が前記半球形突出部を中心にその周囲で行われるようにしたものである。
【００１３】
前記弁体は、前記第２胴体の固定端が挿入される固定溝を形成し、真空掃除機の吸入口と接触する上部は弾性材質でなり、前記真空掃除機の吸入口と密着できるようにするのが好ましい。
【００１４】
【発明の実施の形態】
以下、本発明の好ましい実施の形態を図面等に基づき詳しく説明する。
図３は、本発明に係る真空保管袋の空気排出口の斜視図である。図４は、本発明に係る真空保管袋の底面図である。
【００１５】
図示されているように、本発明に係る真空保管袋の空気排出口は空気通路を形成している胴体１００と、前記胴体に形成された空気通路を開閉するよう弾性材質でなる弁体２００とで構成され、前記胴体１００はその周囲に所定面積を有する円板型の固定板１１２を備え、前記固定板１１２を保管袋の所定部位に密着して空気排出口を固定するようにする。
【００１６】
本発明の空気排出口の空気通路の中心には半球形突出部１１６を備え、前記空気通路がドーナツ形をかたどることになり、これに伴い空気通路を開閉するための弁体２００の開閉片２０６も前記半球形突出部１１６に対応する通孔を形成している。このような開閉片の動作は、図５ａ〜図５ｂを参照して後述する。
【００１７】
図４は、本発明に係る空気排出口の底面を示しているが、底面には前述した空気通路が真空保管袋内部に保管された内容物により詰まるのを防ぐため、下方に形成されている翼部１１４を備えている。前記翼部１１４は、空気排出口の中心から放射状に形成されており、その中心部分が半球形突出部１１６と一体に形成されている。
【００１８】
図５ａは、翼部を通過しないＡ−Ａ線に沿った断面図である。図５ｂは、翼部を通過するＢ−Ｂ線に沿った断面図である。
【００１９】
空気排出口の胴体１００は、真空保管袋に取り付けられる固定板１１２と、空気通路２０８の閉鎖を防ぐ放射線状の翼部１１４、及びこれと一体に形成された半球形突出部１１６を備える第１胴体１１０と、弁体２００と結合するための固定端１２２を形成している第２胴体１２０との結合で構成されている。
【００２０】
弾性材質で作成される弁体２００は円筒状の胴体２０１と、前記胴体２０１の内側に引き出されて形成され中央には半球形突出部１１６に対応する通孔を備えている開閉片２０６、前記胴体２０１の上面と下面にそれぞれ外側に引き出されて形成された上板２０２と下板２０４で構成される。このような弁体２００の固定は、胴体２０１の外周面で形成されている前記上板２０２と下板２０４の中間部分に形成される固定溝２０３に、第２胴体１２０の固定端１２２が挿入されるようにすることにより行われる。
【００２１】
点線で示した図５ａの図面符号２０６ａは、開閉片２０６が開放された状態を示している。図示されているように、開閉片２０６の開放は真空掃除機の吸入口３００側に開閉片２０６の通孔部位が吸い上げられることにより行われることになるが、このような開放の形態により通孔周囲の開閉片部材等が全て変形することになり、これにより開閉片の一部のみ変形を経ることになる従来の方式に比べ優れた復元力を持つことになる。さらに、本発明は開閉片２０６の開放が空気通路２０８の中心部分で行われるようにすることにより、真空掃除機の吸入口３００近くの外周面が開放される従来の方式より吸引時の空気抵抗も減少することになる。
【００２２】
【発明の効果】
前述のように、本発明に係る真空保管袋の空気排出口は弁体が中央の通孔を形成しており、前記通孔が拡大されながら上部に湾曲すると共に弁体の開放が行われることになるので、開放時に前記通孔の周辺部は通孔拡大による変形と上部に湾曲する変形を全て受けることになるので強力な復元力を有することになり、真空掃除機の吸入口が除去されると速やかに原形に復元され密閉力も向上するという効果がある。
【００２３】
さらに、空気の吸引が弁体の外周面でない中心の半球形突出部を中心に行われることになるので、吸引時の空気抵抗が減少されて吸引作業の効率を向上させるという効果も得る。
【図面の簡単な説明】
【図１】本発明に係る空気排出口の斜視図である。
【図２】本発明に係る空気排出口の底面図である。
【図３】前記図２のＡ−Ａ線に沿う断面図である。
【図４】前記図２のＢ−Ｂ線に沿う断面図である。
【図５】従来の空気排出口を示す斜視図である。
【図６】従来の空気排出口の断面図である。
【図７】従来の別の空気排出口を適用した真空保管袋の平面図である。
【図８】前記図７の空気排出口の拡大図である。
【符号の説明】
１００　　胴体
１１０　　第１胴体
１１２　　固定板
１１４　　翼部
１１６　　半球形突出部
１２０　　第２胴体
１２２　　固定端
２００　　弁体
２０２　　上板
２０３　　固定溝
２０８　　空気通路
【図１】
2004067245.tif 000003
【図２】
2004067245.tif 000004
【図３】
2004067245.tif 000005
【図４】
2004067245.tif 000006
【図５】
2004067245.tif 000007
【図６】
2004067245.tif 000008
【図７】
2004067245.tif 000009
【図８】
2004067245.tif 000010
【手続補正書】
【提出日】平成15年4月14日(2003.4.14)
【手続補正１】
【補正対象書類名】明細書
【補正対象項目名】０００６
【補正方法】変更
【補正の内容】
【０００６】
このような従来の空気排出口の動作を検討すると、図６　に点線で示されているように弁体に真空掃除機の吸入口３０を密着して動作させると、真空掃除機の吸引力により開閉片２２が外側板２６と連結された部分を中心に上方に曲げられて空気通路１５が開放され、真空保管袋内部の空気が真空掃除機を経て外部に排出される。空気を全て除去し真空掃除機の吸入口３０を空気排出口から分離すると、前記開閉片２２は自らの弾性力により原状復帰することになり、このようになると開閉片２２の下側の真空保管袋内部の気圧より、開閉片２２上方の気圧が一層高いので開閉片２２が空気通路１５を密着して閉鎖し、これ以上空気が疎通できなくなり内部は真空状態を維持することになる。


【手続補正２】
【補正対象書類名】明細書
【補正対象項目名】００１４
【補正方法】変更
【補正の内容】
【００１４】
【発明の実施の形態】
以下、本発明の好ましい実施の形態を図面等に基づき詳しく説明する。
図１　は、本発明に係る真空保管袋の空気排出口の斜視図である。図２　は、本発明に係る真空保管袋の底面図である。


【手続補正３】
【補正対象書類名】明細書
【補正対象項目名】００１６
【補正方法】変更
【補正の内容】
【００１６】
本発明の空気排出口の空気通路の中心には半球形突出部１１６　を備え、前記空気通路がドーナツ形をかたどることになり、これに伴い空気通路を開閉するための弁体２００　の開閉片２０６　も前記半球形突出部１１６　に対応する通孔を形成している。このような開閉片の動作は、図３　、図４　を参照して後述する。


【手続補正４】
【補正対象書類名】明細書
【補正対象項目名】００１７
【補正方法】変更
【補正の内容】
【００１７】
図２　は、本発明に係る空気排出口の底面を示しているが、底面には前述した空気通路が真空保管袋内部に保管された内容物により詰まるのを防ぐため、下方に形成されている翼部１１４　を備えている。前記翼部１１４　は、空気排出口の中心から放射状に形成されており、その中心部分が半球形突出部１１６　と一体に形成されている。


【手続補正５】
【補正対象書類名】明細書
【補正対象項目名】００１８
【補正方法】変更
【補正の内容】
【００１８】
図３　は、翼部を通過しないＡ−Ａ　線に沿った断面図である。図４　は、翼部を通過するＢ−Ｂ　線に沿った断面図である。


【手続補正６】
【補正対象書類名】明細書
【補正対象項目名】００２１
【補正方法】変更
【補正の内容】
【００２１】
点線で示した図３　の図面符号２０６ａは、開閉片２０６　が開放された状態を示している。図示されているように、開閉片２０６　の開放は真空掃除機の吸入口３００　側に開閉片２０６　の通孔部位が吸い上げられることにより行われることになるが、このような開放の形態により通孔周囲の開閉片部材等が全て変形することになり、これにより開閉片の一部のみ変形を経ることになる従来の方式に比べ優れた復元力を持つことになる。さらに、本発明は開閉片２０６　の開放が空気通路２０８　の中心部分で行われるようにすることにより、真空掃除機の吸入口３００　近くの外周面が開放される従来の方式より吸引時の空気抵抗も減少することになる。